(57)【特許請求の範囲】
【請求項１】
アダプタ経由でパワー・サプライ・ユニットによって供給自在の電力がハンドピース（４０）に供給可能である、医療ハンドピース（４０）用アダプタであって、
該アダプタは、
該サプライ・ユニットのパワー・サプライへの接続用の入力側接点装置（Ｖin）と、
該入力側接点装置と通じ、該サプライ・ユニットによって供給されるパワー・サプライの型を検出するための入力回路装置と、
該医療ハンドピースの光源の光源回路への接続用の出力側接点装置（Ｖout ）と、
該出力側接点装置（Ｖout ）と通じ、該光源の型及び／又は該光源回路の型を検出するための出力回路装置と、
該入力回路装置及び該出力回路装置に接続される回路と
を含み、
この回路は、該入力回路装置及び該出力回路装置によって供給される信号に基づいて、要求される特性を持つ電力が該出力側接点装置（Ｖout ）経由で該医療ハンドピースの該光源回路に供給可能になるように該サプライ・ユニットによって供給されるパワー・サプライを用意するように、設計される
ことを特徴とする医療ハンドピース用アダプタ。
【請求項２】
該回路は、論理回路（ＩＣ１）を含むことを特徴とする請求項１記載の医療ハンドピース用アダプタ。
【請求項３】
該論理回路（ＩＣ１）は、少なくとも部分的にマイクロプロセッサ及びソフトウエアによって実行されることを特徴とする請求項２記載の医療ハンドピース用アダプタ。
【請求項４】
該論理回路（ＩＣ１）は、少なくとも部分的に複数の論理モジュールによって実行されることを特徴とする請求項２又は３記載の医療ハンドピース用アダプタ。
【請求項５】
該回路は、ＤＣ／ＤＣ変換器を含むことを特徴とする請求項１〜４の何れか１項に記載の医療ハンドピース用アダプタ。
【請求項６】
該回路は、昇圧変換器を含むことを特徴とする請求項５記載の医療ハンドピース用アダプタ。
【請求項７】
光源及び関連光源回路を持つ医療ハンドピース（４０）であって、
該ハンドピースは、
サプライ・ユニットのパワー・サプライへの接続用の入力側接点装置（Ｖin）と、
該入力側接点装置（Ｖin）と通じ、該サプライ・ユニットによって供給される該パワー・サプライの型を検出するための入力回路装置と、
該入力回路装置に接続される回路と
を含み、
この回路は、該入力回路装置によって供給される信号に基づいて、要求される特徴を持つ電力が該医療ハンドピースの該光源回路に供給可能であるように該サプライ・ユニットによって供給される該パワー・サプライを用意するように、設計される
ことを特徴とする医療ハンドピース。
【請求項８】
該回路は、論理回路（ＩＣ１）を含むことを特徴とする請求項７記載の医療ハンドピース。
【請求項９】
該論理回路（ＩＣ１）は、少なくとも部分的にマイクロプロセッサ及びソフトウエアによって実行されることを特徴とする請求項８記載の医療ハンドピース。
【請求項１０】
該論理回路（ＩＣ１）は、少なくとも部分的に複数の論理モジュールによって実行されることを特徴とする請求項８又は９記載の医療ハンドピース。
【請求項１１】
該論理回路は、ＤＣ／ＤＣ変換器を含むことを特徴とする請求項７〜１０の何れか１項に記載の医療ハンドピース。
【請求項１２】
該論理回路は、昇圧変換器を含むことを特徴とする請求項１１記載の医療ハンドピース。
【請求項１３】
光源として少なくとも１つのＬＥＤを含むことを特徴とする請求項７〜１２の何れか１項に記載の医療ハンドピース。
【請求項１４】
光源として少なくとも１つの白熱ランプを含むことを特徴とする請求項７〜１３の何れか１項に記載の医療ハンドピース。
【請求項１５】
光源として少なくとも１つのガス放電ランプを含むことを特徴とする請求項７〜１４の何れか１項に記載の医療ハンドピース。
【請求項１６】
少なくとも１つの医療ハンドピース（４０）が接続自在である医療サプライ・ユニット（１０）であって、
該ユニットは、
パワー・サプライ・ユニットと、
医療ハンドピースの光源の光源回路への接続用の出力側接点装置と、
該出力側接点装置と通じ、該光源の型及び／又は該光源回路の型を検出するための出力回路装置と、
該出力回路装置に接続される回路と
を含み、
この回路は、該出力回路装置によって供給される信号に基づいて、要求される特徴を持つ電力が該出力側接点装置経由で少なくとも１つの医療ハンドピースの光源回路に供給可能であるように該サプライ・ユニットによって供給される電力を用意するように、設計され、
該サプライ・ユニットの極性と該光源の極性が一致する場合には、その極性は変更されないのに対し、その極性が一致しない場合には、該回路は、その極性を反転する
ことを特徴とする医療サプライ・ユニット。
【請求項１７】
該回路は、論理回路（ＩＣ１）を含むことを特徴とする請求項１６記載の医療サプライ・ユニット。
【請求項１８】
該論理回路（ＩＣ１）は、少なくとも部分的にマイクロプロセッサ及びソフトウエアによって実行されることを特徴とする請求項１７記載の医療サプライ・ユニット。
【請求項１９】
該論理回路（ＩＣ１）は、少なくとも部分的に複数の論理モジュールによって実行されることを特徴とする請求項１７又は１８記載の医療サプライ・ユニット。
【請求項２０】
該回路は、ＤＣ／ＤＣ変換器を含むことを特徴とする請求項１６〜１９の何れか１項に記載の医療サプライ・ユニット。
【請求項２１】
該回路は、昇圧変換器を含むことを特徴とする請求項２０記載の医療サプライ・ユニット。
【請求項２２】
サプライ・ユニット（１０）によって供給され、医療ハンドピース（４０）の光源の光源回路用のパワー・サプライを用意するための方法であって、
該方法は、アダプタ（３０）、該サプライ・ユニット（１０）又は該医療ハンドピース（４０）に使用される回路によって実行され、
該方法は、
ａ）該サプライ・ユニットによって供給される該パワー・サプライの型を確認すること、
ｂ）該光源の型及び／又は該医療ハンドピース（４０）の該光源回路の型を確認すること、
ｃ）ステップａ）及びｂ）の結果に依存しながらの、該回路による、該サプライ・ユニット（１０）によって供給される該パワー・サプライの自動準備
を含み、
ステップｃ）において、該サプライ・ユニットの極性と該光源の極性が一致する場合には、その極性は変更されないのに対し、その極性が一致しない場合には、その極性は反転される
ことを特徴とする方法。
【請求項２３】
準備は、少なくとも部分的にソフトウエアによって行われることを特徴とする請求項２２記載の方法。
【請求項２４】
準備は、少なくとも部分的に複数の論理モジュールによって行われることを特徴とする請求項２２又は２３記載の方法。
【発明の詳細な説明】
【技術分野】
【０００１】
本発明は、アダプタ経由でパワー・サプライ・ユニットによって供給可能な電力を該ハンドピースに供給することができる医療ハンドピース用アダプタと、光源及び関連光源回路を備える医療ハンドピースと、少なくとも１つの医療ハンドピースを接続可能な医療サプライ・ユニットとに関連する。本発明は、更に、光源又は医療ハンドピースの光源回路用のサプライ・ユニットによって供給される電力を用意するための方法に関連する。
【背景技術】
【０００２】
医療ハンドピース、特に本発明が特有の意義を持つ、経口薬又は詰め物(dentistry) 用のハンドピースは、通例、複数の光源と、関連光源回路とを備える。該光源は、種々の目的に利用可能であり、特に該光源は、通例、歯科医療分野において、例えば患者の口部領域（治療又は手当てされるべき領域）を照明するために、照明として使用される。しかし、該光源はまた、他の目的、特に治療目的において使用可能であり、一例として、光硬化プラスチック重合用の光源が挙げられ、また光源は特に歯科医療分野において使用される。
【０００３】
電力を供給するには、ハンドピースは、通常サプライ・ユニットに接続される必要があるが、該サプライ・ユニットは、種々の型のハンドピースが該サプライ・ユニットに、また好ましくは本質的に該サプライ・ユニットの同一の複数の接続片に接続可能に、好ましく設計される。
【０００４】
このことは、医療ハンドピースの種々の光源が多数の種々の方法で設計される傾向があり、従って種々のパワー・サプライを必要とするという点で、問題と関連する。例えば、ＬＥＤが光源として使用されるとき、各接点について正しい極性が守られなければならない。
【０００５】
例えば、US2004/0166464A1によって、例えばＬＥＤ光源を搭載するハンドピースに接続することができるアダプタが知られている。この文献によれば、電力の極性をＬＥＤに供給するのに必要とされる極性に整合するように、２つの状態の間で交互に手動で切り換えることができるアダプタが提供されている。
【発明の開示】
【０００６】
該技術のこの状態に鑑みて、本発明の目的は、種々の光源を持つ種々のハンドピースを使用するのを可能とし、利用者による不正な操作を防止しながらそれらをサプライ・ユニットに接続することにある。
【０００７】
この目的は、請求項１によるアダプタ、請求項７による医療ハンドピース、請求項１６による医療サプライ・ユニット、及び請求項２２による方法によって達成される。請求項２〜６は、特に、請求項１による発明によるアダプタの有利な実施形態に関連し、請求項８〜１５は、特に、請求項７による発明による医療ハンドピースの有利な実施形態に関連し、請求項１７〜２１は、特に、請求項１６による発明による医療サプライ・ユニットの好ましい実施形態に関連する一方、請求項２３及び２４は、特に、請求項２２による発明による方法の有利な実施形態に関連する。
【０００８】
本発明によるアダプタ、医療ハンドピース又は医療サプライ・ユニットは、出力回路装置及び入力回路装置に接続される回路を含む。該回路は、該出力回路装置によって供給される複数の信号に基づいて、前記回路が、要求の特性を持つ電力をハンドピースの光源の光源回路に供給することができるような方法でパワー・サプライを用意するように設計される。該パワー・サプライの該要求の特性は、特に、電圧と電流強度又はアンペア数の両方に、また特に該パワー・サプライの何れか必要とされる極性に関連する。該極性は、特にＬＥＤが光源として（その効率と放射特性の両方に関するＬＥＤの有利な特性の結果として、ますます頻繁にであるが）使用される場合に必要とされる。極性は、例えばガス放電ランプの場合にも重要であるが、白熱ランプの場合、極性は概して必要とされず、というのも白熱ランプは、通常、どの極性の直流でも又は交流で動作可能であるからである。にもかかわらず、光源としての白熱ランプの場合でさえ、直流又は交流である、特定の極性又は特定の型のパワー・サプライを設けることが望ましいこともある。好ましくは、医療ハンドピース又は医療サプライ・ユニットの発明のアダプタの該回路は、極性だけでなく、照明手段又は器具の型式が検出自在であるように、即ち例えば、該照明手段が、ＬＥＤ、白熱バルブ、ガス放電ランプ又は他の幾つかの照明手段であるか否かを、或いは使用される器具が特定の特殊器具であるか否かを検出自在であるように、設計される。好ましくは、検出は、電圧源又は電流源が使用されるかのそれぞれについて行われる。
【０００９】
また、この用語解釈で指摘すべきこととして、この発明の用語の「医療サプライ・ユニット」の意味は、最も広義に解釈され得るものであり、そのような医療サプライ・ユニットは、例えば、歯医者の椅子等の歯科用サプライ・ユニット、医療サプライ・ユニットであることもあるが、この発明の該医療サプライ・ユニットの意味はまた、直接的、又は間接的、即ちアダプタ等の更なる中間要素経由で、光源を持つハンドピースを接続することができる例えば差込口等のパワー・サプライ・ユニットであることもある。
【００１０】
更に、この段階で指摘すべきこととして、本発明の「アダプタ」の意味は、通常、比較的に小さな要素をいい、特に、ハンドピースに直接接続され、特に形状において、直径及び寸法がハンドピースと調和するが、本発明の用語の「アダプタ」はまた、一方の手のハンドピースと他方の手のサプライ・ユニット又はパワー・サプライとの間の何れの位置にも配置することができる何れかの望ましい中間要素又は中間構成要素を含む、最も広い可能な定義を包含する。更に、本発明のアダプタの意味は、本発明による既述の機能と離れて他の機能を持つ構成要素であることもある。
【００１１】
本発明によるシステムは、特に効果と関連付けられる点で、本発明による該回路経由でそして本発明による入力回路装置及び出力回路装置を使用することによって、自動的に、光源によって必要とされる電力及び供給される電力双方を確認及び検出し、その後、自動的に、該回路によってシステム全体が機能するように、特に利用者、即ち医師又は歯科医が実際の手作業に十分集中することができるように該利用者が何れのステップも初期化する必要無く或いは何れの設定も選択する必要無く、該要求の特性を持つ電力を該光源及び該光源回路に供給するように、パワー・サプライを用意する。このことはまた、該光源又は該光源回路又は他の構成要素への何れの損傷（損傷は、例えば「不正な」パワー・サプライとの接続で起こる）も確実に回避する。
【００１２】
更に、例えば医療サプライ・ユニット及び特定数の医療ハンドピースを備える現存システムが、ある後の時点で、追加の複数のハンドピースを、該サプライ・ユニットの電力供給線が該追加の単複のハンドピースに合うか否かを確認する何の必要性も無く、補充することができる点で、本発明は、効果と関連付けられる。ここにおいて特筆すべきことは、幾つかの場合、医療サプライ・ユニットの正しい配線を確かめることは、とりわけ該システムの電気細部に精通していないシステムの利用者にとって困難であるはずであり、その事実が実際の用途における本発明の重要性を高める。
【００１３】
本発明によるアダプタは、一方の手の複数の医療ハンドピースと他方の手の医療サプライ・ユニットとを本質的に別個に使用することができ、該サプライ・ユニットと該医療ハンドピースとの間に基本的に挿入可能である点で、効果と関連付けられる。本発明による医療ハンドピースの場合、そのようなアダプタは必要ではなく、例えば、本発明による追加の医療ハンドピースが現存システムに追加される場合、パワー・サプライの互換性を確認する必要がないので、特に有利である。本発明による医療サプライ・ユニットは、既にこの基本ユニット上に全ての装置が存在し、それらが、ハンドピース自体を本発明に従って装備したり、及び／又は追加のアダプタを設けたりする必要なく、本質的に光源を持つ何れか所望の複数のハンドピースの接続を可能とする点で、効果と関連付けられる。特に新しい総合的なシステムを購入するとき、本発明による医療サプライ・ユニットは、何れの後続要素、特に何れの追加の医療ハンドピースも更なる測定を要しないので、非常に魅力がある。
【００１４】
本発明による複数装置の場合、各種モジュール又は要素が使用可能であり、特にダイオード、たいていは一つ以上のダイオードを備え、必要なら追加の複数の構成要素が含まれるいわゆる複数の逆極性保護回路が使用可能である。複数のダイオードのいわゆるブリッジ回路が可能であり、ここで、該ダイオードは、供給電力が入力極性に関係なく規定極性方向で前方に伝達されるように、それら順方向及び阻止方向を利用するようにして配置及び接続される。そのような逆極性保護回路は、ＬＥＤが光源として使用されるときに特に重要性を持つ。
【００１５】
本発明によるアダプタ、医療ハンドピース又はサプライ・ユニットに使用される回路は、好ましくは論理回路を含み、ここで、該論理回路は、ソフトウエア及び必要なら対応するマイクロプロセッサによってか、或いは複数の論理モジュールによってか、或いはソフトウエア及び複数の論理モジュールの組合せによるいずれかによって、実施可能である。好適な実施形態において、そのような回路はまた、ＤＣ／ＤＣ変換器、例えば必要なら供給電力を所望の特性に整合して適応させるためにいわゆる昇圧変換器を備える。
【００１６】
更に、本発明による複数の装置は、接続されるべき光源及び光源回路、例えばＬＥＤの極性も検出する出力回路装置を備える。好適な実施形態において、そのような検出は、特に一つ又は幾つかの電流電圧の読取りによって行われ、それにより、接続された光源の関心事の特性、例えば極性が同一であると確認できる。
【００１７】
この目的のため、好ましくは例えば、次のステップを含む方法が使用される：規定電圧又は規定電流を、好ましくは光源、例えばＬＥＤがまだその動作状態にない、即ちまだ発光又は放射していない範囲内で供給すること、及び規定電圧で流れる電流を測定するか或いは規定電流での光源の電圧低下を測定すること。そのような測定の結果は、光源を特徴付けるのに使用され、ここにおいて、例えばＬＥＤの場合の測定は、該ＬＥＤに当てはまる電流−電圧特性曲線上にくる特定の電流値及び電圧値を指示する。この測定点が順方向を特徴付ける特性曲線の範囲内にあるなら、該極性は正しいが、この点が阻止方向と関連付けられる特性曲線上にあるなら、供給電力の極性は、その計測処理の間に供給される電力の極性に関して逆にされているはずである。
【００１８】
好ましくは、少なくとも１つのＬＥＤの特性曲線がマイクロプロセッサに格納され、ここでソフトウエアの支援による該マイクロプロセッサにおいて、測定結果と特性曲線との比較（それらの少なくとも１つがある）がなされる。
【００１９】
もちろん、代替、追加又は一部として、ハードウエアに基づく論理が、複数の論理モジュールによって実施可能である。
【００２０】
要求されることがある、光源又は光源回路の極性設定とは別に、設定は、好ましくは電子回路によるか、他の何れか所望手段、例えば固定レギュレータ若しくは集積回路レギュレータによって行うことができ、パワー・サプライの用意は、該電子回路によって、又は電圧若しくは電流を光源に特有の値に調整する集積回路によって行うことができる。
【００２１】
例えば、所望の一定光出力で、電流値を一定に保持することができ、或いは例えば光出力の変化が望まれるならそれらを変化させることができる。本発明による複数装置の一特殊実施形態において、いわゆる昇圧変換器が、所望の電流要素及び電圧要素を光源に供給するように使用可能である。
【００２２】
本発明による複数装置で、極性を検出することができるだけでなく、好ましくは値、例えばマイクロプロセッサに格納される複数テーブル又は複数特性曲線によって、光源の型、及びその所望用途の目的、例えば光源が照明用として設けられるのか、或いはそれが処理機能、例えば重合機能を持つのかを検出することができる。
【００２３】
この段階で指摘すべきこととして、特殊装置又は特殊方法が、実行されるべき幾つかの読取りに備え、これらの読み値は、接続された光源又は特殊器具の明白な配置及び検証を確実にするべく、例えば、マイクロプロセッサに格納される各値と比較することができるようになっている。
【００２４】
一の好適な実施形態において、時間的連続の読み値は、上記の如く電流値及び／又は電圧値が異なる以外は本質的に同一である。
【００２５】
標準的に、本発明によるサプライ・ユニットは、標準の電力供給、例えば欧州にあっては約５０Ｈｚの２２０〜２３０Ｖの範囲、米国にあっては約６０Ｈｚの約１００〜１１０Ｖに接続することができるように設計される。
【００２６】
この段階で指摘すべきこととして、この発明の医療サプライ・ユニットの用語「パワー・サプライ・ユニット」の意味は、標準のパワー・サプライに関連するだけでなく、より広い意味に解釈されなければならず、従って、外部ソースから該医療サプライ・ユニットに供給される電力を本質的に前方に伝達する、素子、構成要素又はモジュール又は伝導体をも含む。一方、通常あることだが、概して医療サプライ・ユニットは、例えば発生器を使いながらそれ自身電力を生成しないで、代わりに上記の如く少なくとも１つの外部パワー・サプライ網に接続されるので、例えば、電源から離れたこの位置の医療サプライ・ユニットはまた、圧縮空気を受けて、対応するパワー・サプライ（電流、及び適用可能なら圧縮空気及び／又は他の媒体）が同様に複数の外部ソースから該医療サプライ・ユニットに供給される。
【００２７】
これら及び更なる本発明の特徴は、好ましい実施形態に言及する図面に関するより詳細において明らかとされる。
【発明を実施するための最良の形態】
【００２８】
図１は、歯科用ユニット１０、サプライ管２０、アダプタ３０及びハンドピース４０を備える、本発明による全般的なシステムの一実施形態を図式的に示す。図１に示す実施形態において、アダプタ３０は、入力回路装置と、出力回路装置と、該入力回路装置及び該出力回路装置に接続される回路装置とを備える。なお、本発明による他の実施形態において、これら要素は、サプライ・ユニット１０又はハンドピース４０に設けることも可能である。
【００２９】
図１は、更に図式的及び単に例として、ハンドピース４０に設けられる光源の極性に関する可能な組合せを示し、ここにおいて、サプライ・ユニット１０は、交流電圧を供給され、それを内部で規定極性の直流電圧に変換する。
【００３０】
規定極性を持つこの直流電圧は、前方へサプライ・ホース２０を介してアダプタ３０に伝達され、そこにおいて、本発明により該アダプタは、サプライ・ユニット１０によって供給される電力の極性だけでなく、ハンドピース４０内の光源のための必要な極性をも確認する。そこにおいて、サプライ・ユニットの極性と光源の極性が一致する場合には、ケースａ）及びｃ）に示すように、その極性は変更されないのに対し、その極性が一致しない場合には、アダプタ３０に設けられる該回路は、ケースｂ）及びｄ）に図式的に示すように、その極性を反転する。
【００３１】
図２は、好ましい実施形態による電子技術の線図を示し、ここにおいて、入力側接点装置Ｖinは、該サプライ・ユニットのパワー・サプライへの接続のために設けられる。この段階で指摘すべきこととして、該接点装置は、該サプライ・ユニットのパワー・サプライに、直接か、又は間接的、即ち可能な中間要素、例えばサプライ・ホースの類で、接続可能である。標準的には接点に接触することによって電気接触が確立されるが、例えば誘導によってもたらされる近接接触も考えられる。
【００３２】
示した電子技術は、該サプライ・ユニットのパワー・サプライ、特に極性だけでなく、該光源に必要とされるパワー・サプライ、特に極性をも確認するので、接続されるべき該ハンドピースは、出力側接点装置Ｖout によって、必要とされる特性を持つパワー・サプライを供給される。
【００３３】
明示する構成要素５０は、本質的に該入力回路装置を含み、この実施形態では、入力側接点装置Ｖinによって極性に関係なく該サプライ・ユニットのパワー・サプライを受けることができるいわゆるブリッジ整流回路として設計される。この配列では、該ブリッジ整流回路は、基本的に規定極性を持つ以外は、各ケースで電力を前方に伝達するように設計される。また、カソード（負極）は、該回路図においてＧＮＤ（グランド）で示され、それへ接続(galvanic connection) は、先端上に起立している三角によって示される。
【００３４】
出力側接点装置Ｖout 上に、該光源の光源回路を、要求される電力が該光源に供給されるように接続可能である。
【００３５】
論理モジュールＩＣ１は、極性の型と、必要なら器具又は光源の型を検出するために使用され、ＩＣ１は出力回路装置に使える。この論理回路ＩＣ１は、マイクロプロセッサ及び対応するソフトウエアによって、又は純粋なハードウエア、即ち複数の論理モジュールによって実施可能であるか、或いはそれら組合せによって実施可能である。この論理回路ＩＣ１の機能は、特に図３の流れ図に示される。
【００３６】
入出力回路装置に接続され、該入出力回路装置によって供給される複数の信号に基づいて、要求される特性を持つ電力が出力側接点装置Ｖout 経由で該光源回路に供給され得るように、該サプライ・ユニットによって供給される電力を用意する該回路は、ＤＣ／ＤＣ変換器（ＩＣ２参照）を備え、これは、規定直流電圧を、例えば複数の電力蓄積装置（コイル、キャパシタ）の目標とされる選択によって、ある他の型又は強度の直流電圧に変換する。なお、集積回路ＩＣ２は、該ユニットによって供給されるものと異なるパワー・サプライ又は規定極性を要するＬＥＤ又は光源が使用されるときにだけ必要とされ、ここにおいて、ＩＣ２は入力ＥＮ（イネーブル）経由で始動される。電力の正しい極性がトランジスタＭ１〜Ｍ３の相応する選択によって保証される。
【００３７】
例えば小型白熱ランプが光源として出力側接点装置Ｖout に接続されるなら、該サプライ・ユニットによって供給される電力を、この出力側接点装置Ｖout に直接、従って該白熱バルブに直接切り換える必要がある。これは、トランジスタＭ１〜Ｍ３を駆動することによって同様に保証される。個々の照明手段と集積回路ＩＣ２及びトランジスタＭ１〜Ｍ３の選択（その選択はそれぞれの照明手段に必要である）との間の弁別は、論理回路ＩＣ１経由で行われる（特に図３及び関連の説明を参照）。
【００３８】
図３は、何れか所望の光源を持つハンドピースのための好ましい実施形態による論理回路の、流れ図の形式の図示である。この論理回路は、ソフトウエア及びマイクロプロセッサによって好適に実行されており、ここにおいて、光源が、例えばＬＥＤを持つ場合であるが、規定極性を必要とするか否かを、及び測定を要する電力が順方向に切り換えられているか否かを決定するために（１１０参照）、該論理回路は、可能な“リセット”８０及びトランジスタ９０の選択後、特に負荷、即ち接続されるべきハンドピースの最初の読取り又は幾つかの読取りを実行する。
【００３９】
該テスト読取り中の光源（ＬＥＤ）が順方向に切り替えられている場合、該極性は、集積回路ＩＣ２（図２参照）及び該複数のトランジスタが正しいＬＥＤの動作のために選択されるように（ステップ１２０参照）、維持可能である。
【００４０】
該テスト読取り中に光源（ＬＥＤ）が阻止方向にあるなら（１３０参照）、該極性は、集積回路ＩＣ２（図２参照）及び該複数のトランジスタが正しいＬＥＤの動作のために選択されるように（ステップ１４０参照）、該テスト読取りの極性と比較したときに反転される。
【００４１】
一方、もし該テスト読み値が、特有の極性を必要とせず、順方向や阻止方向を定めることができないことを示すなら、システムは、該ハンドピースに小型ランプがあるかについて確認する（１５０参照）。ここにおいて、該結果が肯定的なら、好ましくは、マイクロプロセッサ又は対応する記憶装置に格納される複数の特性曲線、データ又は複数のテーブルを確認することによって、該ランプ、例えば白熱ランプの正しい動作のための複数のトランジスタが選択される（ステップ１６０参照）。
【００４２】
該テスト読み値が上述のケースのどれにも当てはまらないことを表すなら、特殊器具、特に該特殊器具に属する電子回路を持ち、照明用ではなく例えば光硬化プラスチックを硬化するために使用される光源が、必然的に含まれると推定される。ここにおいて、相応の更なるテスト読取りが行われ、再度、対応するデータと好適に比較される。該テスト読み値が、検出される特定の特殊器具に帰着するなら（１７０参照）、集積回路ＩＣ２（図２参照）及びこの検出された特殊器具の正しい動作のための複数のトランジスタが選択される（ステップ１８０参照）。
【００４３】
該追加のテスト読取りが明確な結果に至らなければ、該読取りは不成功であったと推定され、ここにおいて、システムは、続いてもう一度上述の如く、各種テスト読取りを好適に実行する（ステップ１９０参照）。
【００４４】
好ましくは、これらステップは数回実行可能であり、ここにおいて、決められた回数、例えば１０回の試み後、好ましくはエラー・コードが出される。
【００４５】
詳細な実施形態において、ステップ１１０の間、例えば１Ｖの電圧が印加され、例えば２０ｍＡの電流が測定される。各可能な照明源、例えばＬＥＤ、白熱ランプ等について、電流−電圧曲線又は電流−電圧テーブルの類が格納され、該電子技術は、対の電流／電圧測定値（１Ｖ，２０ｍＡ）を、規定順序でこれら曲線又はテーブルの各々と比較する。例えば、先ず順方向において、その後、阻止方向においてＬＥＤに割り当てられた複数の値又は複数のテーブルと、その後、白熱バルブ等の複数の値又は複数の曲線と比較される。ここにおいて、好ましくは、特殊器具用の各値は、規定の可能な照明手段が確認された後に確認のみされる。
【００４６】
測定された対の値がこれら曲線の一つの１点、又は１つのテーブルにおける値と一致するやいなや、光源の型、極性及び／又は特殊器具が認識される。
【００４７】
対の測定値が割り当てられることができないか、少なくとも明確に割り当てられることができなければ、第２の読取りが、特に好ましい実施形態では異なる出力電圧、例えば１．５Ｖで実行される。
【００４８】
指摘すべきこととして、本発明によるシステムは、個々のテスト読取りが、可能な更なる（照明用であるか、いわゆる「特殊器具」の場合の）光源に関して、例えば、新しいソフトウエア、マイクロプロセッサがアクセス可能なメモリ上への追加データ及び／又は特性曲線の入力によって、又は新しい複数の論理モジュールの使用によって、補足及び適応可能に設計される。
【００４９】
図４は、本発明の更なる実施形態に使用可能な電子技術の領域の部分を示し、ここにおいて、図４に示す部分的な領域は、特に、光源及び／又は特殊器具の光源回路の型を検出するのに使用される。
【００５０】
図４におけるＶ１〜Ｖ４で示される構成要素は、可能な照明手段や照明源及び／又は光源回路の選択された特性電圧に対応するような電圧を供給する基準電圧源を示す。これら電圧源は、例えば標準の複数の構成要素、又は例えば標準構成要素ＬＭ３１７の使用で実施可能である。
【００５１】
図４におけるＵ１〜Ｕ４で示される構成要素は、それぞれの基準電圧源Ｖ１〜Ｖ４を、ＰＩＮ３に存在する電圧と比較する比較器を表す。この配列において、該比較器は、これら２つの電圧が一致するなら、即ち供給電圧が同一なら、論理ハイ信号が出力にもたらされ、この信号が、図４においてctrlX1〜ctrlX4で示される対応する選択回路に送られるような仕方で設計される。
【００５２】
基準電圧源Ｖ１〜Ｖ４のそのような配列によって、比較器Ｕ１〜Ｕ４の使用で、照明手段や光源及び／又は光源回路が識別可能であり、ここにおいて、選択回路ctrlX1〜ctrlX4は、光源又は光源回路及び関連照明手段の正しい動作に必要とされる電力が該照明手段に運ばれるように、トランジスタＭ１〜Ｍ３（図２参照）及びＤＣ／ＤＣコンバータＩＣ２（同様に図２参照）を選択する。
【００５３】
上記明細書、特許請求の範囲及び図面に開示された特徴は、本発明の各種実施形態を実施するための何れか所望の組合せと個別の両方において、重要な意味を持ち得るものである。
【図面の簡単な説明】
【００５４】
【図１】本発明によるシステムを図式的に示す。
【図２】本発明の一実施形態に使用される電子技術の図式である。
【図３】本発明の一実施形態に使用される論理回路の流れ図である。
【図４】本発明の更なる実施形態に使用される電子技術の部分を示す。
【符号の説明】
【００５５】
１０  歯科用ユニット
２０  サプライ管
３０  アダプタ
４０  ハンドピース
【図１】
0004418448.tif 000002
【図２】
0004418448.tif 000003
【図３】
0004418448.tif 000004
【図４】
0004418448.tif 000005